(57)【特許請求の範囲】
【請求項１】
記録用紙束を収納する給紙カセットと、給紙カセット内の記録用紙束の最上部に接触し、最上部の記録用紙をピックアップして搬送するピックアップローラとを具備し、前記給紙カセットは、収納された記録用紙束が載置されたリフト板と、前記リフト板を動力により持ち上げることによって記録用紙束の最上部を前記ピックアップローラに接触させるリフトモータとを有する画像形成装置であって、
前記リフトモータの端子間電圧を検出する端子間電圧検出手段と、
前記給紙カセット内の記録用紙束の厚さを検出する用紙束厚さ検出手段と、
１枚あたりの記録用紙の厚さを検出する用紙厚さ検出手段と、
記録用紙サイズを検出する用紙サイズ検出手段と、
前記端子間電圧に基づいて記録用紙束の重量を算出し、当該記録用紙束の重量と、前記記録用紙束の厚さと、前記１枚あたりの記録用紙の厚さと、前記記録用紙サイズとに基づいて記録用紙の単位面積あたりの重量を算出し、当該単位面積あたりの重量に基づいて記録用紙の種類を検出する用紙種類検出手段とを具備することを特徴とする画像形成装置。
【請求項２】
前記用紙厚さ検出手段は、前記用紙束厚さ検出手段により検出された記録用紙束の厚さ（第１の用紙束厚さ）と、前記給紙カセットから所定枚数搬送された後の記録用紙束の厚さ（第２の用紙束厚さ）との差分を前記所定枚数で割ることで１枚あたりの記録用紙の厚さを検出することを特徴とする請求項１に記載の画像形成装置。
【請求項３】
記録用紙束厚さ検出手段は、持ち上げられたリフト板の高さを検出する測距センサを有し、前記測距センサの検出結果に基づいて記録用紙束の厚さを検出することを特徴とする請求項１または２に記載の画像形成装置。
【請求項４】
前記記録用紙束厚み検出手段は、前記リフト板に連動するスライドボリュームの出力に基づいて記録用紙束の厚さを検出することを特徴とする請求項１または２に記載の画像形成装置。
【請求項５】
前記端子間電圧検出手段は、前記リフトモータの動作時に、変動が所定の範囲内になった端子間電圧の平均値を算出し、当該平均値を端子間電圧として検出することを特徴とする請求項１〜４のいずれか１項に記載の画像形成装置。
【発明の詳細な説明】
【技術分野】
【０００１】
本発明は、画像形成装置に関する。
【背景技術】
【０００２】
電子写真方式の画像形成装置では、転写部において感光体ドラムまたは中間転写ベルトから記録用紙にトナー画像が転写され、その後、定着部において当該トナー画像に対する定着処理が施される。上記転写部では、記録用紙に転写電圧を印加することによりトナー画像を転写させるが、記録用紙の種類（単位面積あたりの重さ）に応じた適切な転写電圧を印加できていない、つまり転写電圧の過剰印加または不足が生じると、中抜け現象などの転写不良が発生する。また、定着部では、トナー画像が転写された記録用紙を所定の定着温度で加圧することによりトナー画像を定着させるが、記録用紙の種類に応じた適切な定着温度にできていない、つまり加熱過剰または加熱不足になると、光沢ムラなどの定着不良が発生する。そのため、用紙種類に応じた転写電圧及び定着温度などの画像形成条件を設定するものとして、例えば、下記特許文献１には、ユーザによる操作によって入力された記録用紙の種類などの情報に基づいて画像形成条件を制御する画像形成装置が開示されている。
【先行技術文献】
【特許文献】
【０００３】
【特許文献１】特開平７−２７１２４６号公報
【発明の概要】
【発明が解決しようとする課題】
【０００４】
しかしながら、上記従来技術では、転写電流や定着温度などの画像形成条件の設定のために、ユーザがタッチパネルなどの操作部を操作することによって、記録用紙の種類を入力しなければならない。すなわち、画像形成条件の設定のために、ユーザはわずらわしい操作をしなければならなかった。
【０００５】
本発明は、上述した事情に鑑みてなされたものであり、ユーザがわずらわしい操作をすることなく画像形成条件を設定することができることを目低とする。
【課題を解決するための手段】
【０００６】
上記目的を達成するために、本発明では、画像形成装置に係る第１の解決手段として、記録用紙束を収納する給紙カセットと、給紙カセット内の記録用紙束の最上部に接触し、最上部の記録用紙をピックアップして搬送するピックアップローラとを具備し、前記給紙カセットは、収納された記録用紙束が載置されたリフト板と、前記リフト板を動力により持ち上げることによって記録用紙束の最上部を前記ピックアップローラに接触させるリフトモータとを有する画像形成装置であって、前記リフトモータの端子間電圧を検出する端子間電圧検出手段と、前記給紙カセット内の記録用紙束の厚さを検出する用紙束厚さ検出手段と、１枚あたりの記録用紙の厚さを検出する用紙厚さ検出手段と、記録用紙サイズを検出する用紙サイズ検出手段と、前記端子間電圧に基づいて記録用紙束の重量を算出し、当該記録用紙束の重量と、前記記録用紙束の厚さと、前記１枚あたりの記録用紙の厚さと、前記記録用紙サイズとに基づいて記録用紙の単位面積あたりの重量を算出し、当該単位面積あたりの重量に基づいて記録用紙の種類を検出する用紙種類検出手段とを具備するという手段を採用する。
【０００７】
本発明では、画像形成装置に係る第２の解決手段として、上記第１の解決手段において、前記用紙厚さ検出手段は、前記用紙束厚さ検出手段により検出された記録用紙束の厚さ（第１の用紙束厚さ）と、前記給紙カセットから所定枚数搬送された後の記録用紙束の厚さ（第２の用紙束厚さ）との差分を前記所定枚数で割ることで１枚あたりの記録用紙の厚さを検出するという手段を採用する。
【０００８】
本発明では、画像形成装置に係る第３の解決手段として、上記第１または第２の解決手段において、記録用紙束厚さ検出手段は、持ち上げられたリフト板の高さを検出する測距センサを有し、前記測距センサの検出結果に基づいて記録用紙束の厚さを検出するという手段を採用する。
【０００９】
本発明では、画像形成装置に係る第４の解決手段として、上記第１または第２の解決手段において、前記記録用紙束厚み検出手段は、前記リフト板に連動するスライドボリュームの出力に基づいて記録用紙束の厚さを検出するという手段を採用する。
【００１０】
本発明では、画像形成装置に係る第５の解決手段として、上記第１〜第４のいずれか１つの解決手段において、前記端子間電圧検出手段は、前記リフトモータの動作時に、変動が所定の範囲内になった端子間電圧の平均値を算出し、当該平均値を端子間電圧として検出するという手段を採用する。
【発明の効果】
【００１１】
本発明によれば、前記端子間電圧検出手段により検出された端子間電圧に基づいて記録用紙束の重量を算出し、当該記録用紙束の重量と、前記用紙束厚さ検出手段により検出された記録用紙束の厚さと、前記用紙厚さ検出手段により検出された１枚あたりの記録用紙の厚さと、前記用紙サイズ検出手段により検出された記録用紙サイズとに基づいて記録用紙の単位面積あたりの重量を算出し、当該単位面積あたりの重量に基づいて記録用紙の種類を検出する。このように、本発明は、自動的に検出した端子間電圧、記録用紙束の厚さ、１枚あたりの記録用紙の厚さ及び記録用紙サイズに基づいて記録用紙の種類を検出するので、わずらわしい入力操作、すなわち記録用紙の種類の入力操作をしなくても画像形成条件を設定することができる。
【図面の簡単な説明】
【００１２】
【図１】本発明の実施形態に係る複合機Ａの概略構成図である。
【図２】本発明の実施形態に係る複合機Ａの給紙カセット４４の概略構成図である。
【図３】本発明の実施形態に係る複合機Ａのリフトモータ４４３と演算／制御部６との接続関係を示す回路図である。
【図４】本発明の実施形態に係る複合機Ａの動作を示すフローチャートである。
【図５】本発明の実施形態に係る複合機Ａのリフトモータ４４３の逆起電圧Ｅｃを示すグラフである。
【発明を実施するための形態】
【００１３】
以下、図面を参照して、本発明の実施形態について説明する。
本実施形態に係る複合機（画像形成装置）Ａは、コピー機能、プリント機能、スキャン機能、ファクシミリ送信／受信機能及び電子メール送信機能を併せ持つ。複合機Ａは、図１に示すように、操作表示部１、画像読取部２、画像データ記憶部３、用紙搬送／画像形成部４、通信部５及び演算／制御部６を備える。
【００１４】
なお、演算／制御部６は、本実施形態における端子間電圧検出手段、用紙厚さ検出手段及び用紙種類検出手段である。また、演算／制御部６と後述の測距センサ４４４は、本実施形態における用紙束厚さ検出手段を構成する。さらに、演算／制御部６と後述の用紙ガイド板４４５は、本実施形態における用紙サイズ検出手段を構成する。
【００１５】
操作表示部１は、操作キー及びタッチパネルを備えており、ユーザと複合機Ａとを関係付けるマンマシンインタフェースとして機能する。操作表示部１は、押下された操作キーまたはタッチパネルに表示された操作ボタンの操作指示を演算／制御部６に出力するとともに、演算／制御部６の制御信号に基づいてタッチパネルに種々の画面を表示する。
【００１６】
画像読取部２は、演算／制御部６から入力される制御信号に基づいてＤＰ（Document Processor：自動原稿送り装置）により自動給紙される原稿またはプラテンガラス上に載置された原稿の画像（原稿画像）をラインセンサで読み取って原稿画像データに変換し、この原稿画像データを画像データ記憶部３に出力する。
【００１７】
画像データ記憶部３は、半導体メモリまたはハードディスク装置などであり、演算／制御部６から入力される制御信号に基づいて原稿画像データ、プリント画像データ及びファクシミリ画像データ（通信部５が外部から受信）を記憶し、これら画像データを用紙搬送／画像形成部４に出力する。
【００１８】
用紙搬送／画像形成部４は、演算／制御部６から入力される制御信号に基づいて給紙カセット４４（図１参照）から記録用紙を搬送し、画像データ記憶部３から入力された画像データに基づくトナー画像を記録用紙に形成するものであり、図１に示すように、各色（Ｋ，Ｙ，Ｃ，Ｍ）に対応するトナー画像を形成する画像形成ユニット４１、中間転写ベルト４２、１次転写ローラ４３、給紙カセット４４、ピックアップローラ４５、搬送ローラ４６、２次転写ローラ４７、定着ローラ４８、排紙ローラ４９及び排紙トレイ５０から構成されている。
【００１９】
各画像形成ユニット４１は、イエロー（Ｙ）、マゼンダ（Ｍ）、シアン（Ｃ）、ブラック（ＢＫ）の各色に対応するトナー画像を形成するものであり、複合機Ａの正面から視て水平方向に所定間隔で配置され、図１に示すようにそれぞれトナー画像が周面に形成される感光体ドラムなどから構成されている。
【００２０】
中間転写ベルト４２は、画像形成ユニット４１に接するように設けられ、画像形成ユニット４１に形成されたトナー画像が１次転写される記録媒体である。
１次転写ローラ４３は、中間転写ベルト４２を挟むように画像形成ユニット４１に対向配置されており、演算／制御部６の制御の下、回転駆動されながら電圧を中間転写ベルト４２に印加することにより画像形成ユニット４１から中間転写ベルト４２にトナー画像を１次転写させる。
給紙カセット４４は、トナー画像が形成される記録用紙の束を収容する容器であり、図２に示すように、リフト板４４１、リフト板支持部４４２、リフトモータ４４３、測距センサ４４４及び用紙ガイド板４４５を備えている。
【００２１】
リフト板４４１は、給紙カセット４４に記録用紙束が収容された際に、記録用紙束が載置される板であり、リフトモータ４４３の動力によって、記録用紙束の最上部がピックアップローラ４５に接するように持ち上げられる。
リフト板支持部４４２は、リフト板４４１を下面側から支持するものであり、リフトモータ４４３に連結され、リフトモータ４４３の駆動によりリフト板４４１を持ち上げる。
【００２２】
リフトモータ４４３は、ＤＣブラシモータであり、リフト板支持部４４２に連結され、
演算／制御部６の制御の下、動力によってリフト板支持部４４２を駆動することによりリフト板４４１を持ち上げ、記録用紙束の最上部がピックアップローラ４５に接するようにする。
測距センサ４４４は、リフト板４４１の下面に光を発する発光素子と、リフト板４４１からの反射光を受光する受光素子とを備え、受光素子が反射光の入射角を検出し、入射角を示す検出信号を演算／制御部６に出力する。
用紙ガイド板４４５は、記録用紙の幅方向及び長さ方向それぞれに設けられた記録用紙を収容するためのガイド板であり、記録用紙の用紙サイズに合わせて移動可能にリフト板４４１上に取り付けられている。演算／制御部６は、用紙ガイド板４４５の位置に基づいて記録用紙の用紙サイズを検出する。
【００２３】
ピックアップローラ４５は、給紙カセット４４上において所定の高さで軸支され、モータ（不図示）等の駆動源により回転駆動され、給紙カセット４４に収容される記録用紙束の最上部に接触され、最上部の記録用紙をピックアップして搬送ローラ４６に搬送する。
搬送ローラ４６は、モータ（不図示）等の駆動源により回転駆動され、ピックアップローラ４５によりピックアップされた記録用紙を２次転写ローラ４７に搬送するものである。
２次転写ローラ４７は、演算／制御部６の制御の下、駆動源によって回転駆動されながら電圧を記録用紙に印加することにより中間転写ベルト４２と２次転写ローラ４７との間に搬送される記録用紙に中間転写ベルト４２上のトナー画像を２次転写させる。
【００２４】
定着ローラ４８は、内部にヒータを備えた加熱ローラと、加熱ローラに圧接される圧接ローラとから構成され、２つのローラでトナー画像が転写された記録用紙を挟持搬送することで記録用紙を加熱及び加圧して、トナー画像を記録用紙上に定着させる。
排紙ローラ４９は、モータ（不図示）により回転駆動され、定着ローラ４８から搬送された記録用紙を排紙トレイ５０に排出する。
排紙トレイ５０は、排紙ローラ４９により排出された記録用紙を受け取るトレイである。
【００２５】
通信部５は、演算／制御部６による制御の下に、ＬＡＮ（Local Area Network）や電話回線を用いて外部の複合機、ファクシミリ装置あるいはクライアントコンピュータ等と通信を行うものである。すなわち、この通信部５は、イーサネット（登録商標）等のＬＡＮ規格に準拠した通信機能とＧ３等のファクシミリ規格に準拠した通信機能とを兼ね備えたものである。この通信部５により、例えば、電子メールの送受信を行うことができる。
【００２６】
演算／制御部６は、内部メモリに記憶された制御プログラム及び上記操作表示部１から入力される操作指示に基づいて、複合機Ａの全体動作を制御する。このような演算／制御部６とリフトモータ４４３との接続関係は、図３に示すようになっている。つまり、トランジスタ６１は、エミッタ端子が電源（図示略）に接続され、コレクタ端子がリフトモータ４４３の入出力端子Ｔ１に接続され、ベース端子がＣＰＵ（Central Processing Unit）６２に接続され、ＣＰＵ６２からの制御信号に基づいて電源電圧Ｖｂをリフトモータ４４３に供給する。
【００２７】
抵抗Ｒ１と抵抗Ｒ２とは直列に接続され、抵抗Ｒ１の一端は、トランジスタ６１のコレクタ端子及びリフトモータ４４３の入出力端子Ｔ１に接続され、抵抗Ｒ２の一端は、グランドに接続されている。抵抗Ｒ３は、一端がリフトモータ４４３の入出力端子Ｔ２に接続され、他端がグランドに接続されている。差動増幅回路６３は、非反転入力端子が抵抗Ｒ１と抵抗Ｒ２との接続点Ｃ１に接続され、反転入力端子がリフトモータ４４３の入出力端子Ｔ２と抵抗Ｒ３との接続点Ｃ２に接続され、接続点Ｃ１と接続点Ｃ２との電位差を示す端子間電圧Ｖ１をＣＰＵ６２に出力する。また、リフトモータ４４３の等価回路は、巻線抵抗Ｒａと逆起電圧Ｅｃとによって表される。
【００２８】
次に、上記構成の本実施形態に係る複合機Ａの動作について、図４を参照して詳しく説明する。
まず、給紙カセット４４内の記録用紙がなくなると、ユーザは、新たな記録用紙の束を給紙カセット４４に収容する。
演算／制御部６は、新たな記録用紙束が収容され、リフト板４４１上に記録用紙束が載置されると、記録用紙束の最上部がピックアップローラ４５に接するようにリフト板４４１をリフトモータ４４３に持ち上げさせる。演算／制御部６は、リフトモータ４４３を動作させる際、リフトモータ４４３における端子間電圧Ｖ１を図３に示す回路によって検出し、その端子間電圧Ｖ１に基づいて逆起電圧Ｅｃを検出する（ステップＳ１）。
【００２９】
ここで、ステップＳ１における逆起電圧Ｅｃの検出について詳細に説明する。
接続点Ｃ１の電圧Ｖｐ１は、抵抗Ｒ１，Ｒ２と電源電圧Ｖｂとによって下記式（１）で表され、また接続点Ｃ２の電圧Ｖｐ２は、抵抗Ｒ３，Ｒａと電源電圧Ｖｂと逆起電圧Ｅｃとによって下記式（２）で表される。
Ｖｐ１＝Ｒ２／（Ｒ１＋Ｒ２）×Ｖｂ  …  （１）
Ｖｐ２＝Ｒ３／（Ｒ３＋Ｒａ）×（Ｖｂ−Ｅｃ）  …  （２）
【００３０】
接続点Ｃ１の電圧Ｖｐ１は差動増幅回路６３の非反転入力端子に入力され、また接続点Ｃ２の電圧Ｖｐ２は反転入力端子に入力されるので、端子間電圧Ｖ１は、記式（３）で表される。
Ｖ１＝Ｖｐ１−Ｖｐ２＝｛Ｒ２／（Ｒ１＋Ｒ２）×Ｖｂ｝−｛Ｒ３／（Ｒ３＋Ｒａ）×（Ｖｂ−Ｅｃ）｝＝｛Ｒ２／（Ｒ１＋Ｒ２）×Ｖｂ｝−｛Ｒ３／（Ｒ３＋Ｒａ）×Ｖｂ｝＋｛Ｒ３／（Ｒ３＋Ｒａ）×Ｅｃ｝  …  （３）
【００３１】
抵抗Ｒ１，Ｒ２，Ｒ３，Ｒａを、Ｒ１：Ｒａ＝Ｒ２：Ｒ３という関係になるように設けると、端子間電圧Ｖ１は下記式（４）で表される。
Ｖ１＝Ｒ３／（Ｒ３＋Ｒａ）×Ｅｃ＝Ｒ２／（Ｒ１＋Ｒ２）×Ｅｃ    …（４）
逆起電圧Ｅｃは、上記式（４）から以下式（５）で表される。
Ｅｃ＝Ｖ１／｛Ｒ３／（Ｒ３＋Ｒａ）｝＝Ｖ１／｛Ｒ２／（Ｒ１＋Ｒ２）｝  …（５）
つまり、演算／制御部６は、端子間電圧Ｖ１を上記式（５）に代入することで、逆起電圧Ｅｃを検出することができる。そして、上記において検出された逆起電圧Ｅｃは、図５に示すように、検出開始時に急激に上昇し、その後一定の値を示す。演算／制御部６は、図５における一定になった逆起電圧Ｅｃの平均値、すなわち変動が所定の範囲内になった逆起電圧Ｅｃの平均値を算出し、当該平均値を逆起電圧Ｅｃとして検出する。
【００３２】
図４に戻り、演算／制御部６は、ステップＳ１の後に、記録用紙束の厚さを検出する（ステップＳ２）。つまり、演算／制御部６は、測距センサ４４４から入力される検出信号に基づいてリフト板４４１からの反射光の入射角を認識し、持ち上げられたリフト板４４１の高さを反射光の入射角に基づいて算出し、リフト板４４１の高さに基づいて記録用紙厚さを算出（検出）する。
【００３３】
演算／制御部６は、ステップＳ２の後に、記録用紙サイズを検出する（ステップＳ３）。つまり、演算／制御部６は、用紙ガイド板４４５の位置に基づいて用紙幅や、用紙長さを検出し、この用紙幅及び用紙長さに基づいて記録用紙サイズ（Ａ３、Ａ４、Ａ５など）を検出する。
【００３４】
演算／制御部６は、ステップＳ３の後に、１枚あたりの記録用紙の厚さを検出する（ステップＳ４）。つまり、演算／制御部６は、ステップＳ２において検出された記録用紙束の厚さ（第１の用紙束厚さ）と、給紙カセット４４から所定枚数搬送された後に検出された記録用紙束の厚さ（第２の用紙束厚さ）との差分を算出し、搬送された所定枚数で差分を割ることで１枚あたりの記録用紙の厚さを検出する。
【００３５】
演算／制御部６は、ステップＳ４の後に、ステップＳ１において検出された逆起電圧Ｅｃに基づいて記録用紙束の重量を算出し、当該記録用紙束の重量と、ステップＳ２において検出された記録用紙束の厚さと、ステップＳ３において検出された記録用紙サイズと、ステップＳ４において検出された１枚あたりの記録用紙の厚さとに基づいて記録用紙の単位面積あたりの重量を算出し、当該単位面積あたりの重量に基づいて記録用紙の種類を検出する（ステップＳ５）。
【００３６】
ここで、ステップＳ５における記録用紙の種類を検出について詳細に説明する。
演算／制御部６は、例えば、逆起電圧Ｅｃに応じた記録用紙束の重量が登録された重量テーブルを記憶し、逆起電圧Ｅｃ及び重量テーブルに基づいて記録用紙の重量を算出するようにしてもよい。また、リフトモータ４４３の逆起電圧Ｅｃとトルクとは逆比例関係にあり、演算／制御部６は、逆起電圧Ｅｃからトルク算出し、当該トルクから記録用紙の重量を算出するようにしてもよい。
【００３７】
演算／制御部６は、記録用紙束の厚さを、１枚あたりの記録用紙の厚さで割ることにより記録用紙の枚数を算出し、記録用紙束の重量を記録用紙の枚数で割ることにより記録用紙１枚あたりの重量を算出し、記録用紙１枚あたりの重量を記録用紙サイズから導かれる記録用紙の面積で割ることにより記録用紙の単位面積あたりの重量を算出する。そして、演算／制御部６は、記録用紙の単位面積あたりの重量から記録用紙の種類を判断し、記録用紙の種類を特定（検出）する。
【００３８】
以上のように、本実施形態は、演算／制御部６は、リフトモータ４４３の逆起電圧Ｅｃと、記録用紙束の厚さと、１枚あたりの記録用紙の厚さと、検出された記録用紙サイズとを検出し、逆起電圧Ｅｃに基づいて記録用紙束の重量を算出し、記録用紙束の重量と、記録用紙束の厚さと、１枚あたりの記録用紙の厚さと、記録用紙サイズとに基づいて記録用紙の単位面積あたりの重量を算出し、当該単位面積あたりの重量に基づいて記録用紙の種類を検出する。このように、本実施形態は、自動的に検出した逆起電圧Ｅｃ、記録用紙束の厚さ、１枚あたりの記録用紙の厚さ及び記録用紙サイズに基づいて記録用紙の種類を検出するので、わずらわしい入力操作、すなわち記録用紙の種類の入力操作をしなくても画像形成条件を設定することができる。
【００３９】
以上、本発明の実施形態について説明したが、本発明は上記実施形態に限定されることなく、例えば以下のような変形が考えられる。
（１）上記実施形態は、測距センサ４４４の検出結果に基づいて記録用紙束の厚さを検出したが、本発明はこれに限定されない。
例えば、演算／制御部６は、リフト板４４１に連動するスライドボリューム（図示略）の出力に基づいて記録用紙束の厚さを検出するようにしてもよい。
【００４０】
（２）上記実施形態は、記録用紙束の厚さ（第１の用紙束厚さ）と、給紙カセット４４から所定枚数搬送された後に検出された記録用紙束の厚さ（第２の用紙束厚さ）との差分を算出し、搬送された所定枚数で差分を割ることで１枚あたりの記録用紙の厚さを検出したが、本発明はこれに限定されない。
例えば、用紙搬送経路上に記録用紙の厚さを検出するセンサを設け、給紙カセットから用紙搬送経路上に搬送された記録用紙の厚さを検出することにより、１枚あたりの記録用紙の厚さを検出するようにしてもよい。
【００４１】
（３）上記実施形態は、変動が所定の範囲内になった逆起電圧Ｅｃの平均値を算出し、当該平均値を逆起電圧Ｅｃとして検出したが、本発明はこれに限定されない。
例えば、演算／制御部６は、平均値ではなく、所定のポイントの逆起電圧Ｅｃを検出するようにしてもよい。
【００４２】
（４）上記実施形態は、端子間電圧Ｖ１から逆起電圧Ｅｃを検出し、当該逆起電圧Ｅｃに基づいて記録用紙の重量を検出したが、本発明はこれに限定されない。
端子間電圧Ｖ１と逆起電圧Ｅｃとは、比例関係にあり、演算／制御部６は、逆起電圧Ｅｃを検出しなくても、端子間電圧Ｖ１に基づいて記録用紙の重量を検出するようにしてもよい。
【符号の説明】
【００４３】
Ａ…複合機、１…操作表示部、２…画像読取部、３…画像データ記憶部、４…用紙搬送／画像形成部、５…通信部、６…演算／制御部、４１…画像形成ユニット、４２…中間転写ベルト、４３…１次転写ローラ、４４…給紙カセット、４５…ピックアップローラ、４６…搬送ローラ、４７…２次転写ローラ、４８…定着ローラ、４９…排紙ローラ、５０…排紙トレイ、４４１…リフト板、４４２…リフト板支持部、４４３…リフトモータ、４４４…測距センサ、４４５…用紙ガイド板、６１…トランジスタ、６２…ＣＰＵ、６３…差動増幅回路、Ｒ１，Ｒ２，Ｒ３，Ｒａ…抵抗、Ｅｃ…逆起電圧、Ｃ１，Ｃ２…接続点、Ｖｐ１…接続点Ｃ１の電圧、Ｖｐ２…接続点Ｃ２の電圧、Ｖｂ…電源電圧
【図１】
0005427811.tif 000002
【図２】
0005427811.tif 000003
【図３】
0005427811.tif 000004
【図４】
0005427811.tif 000005
【図５】
0005427811.tif 000006